(57)【要約】【課題】従来自転車には、サドルの後の下にバネが有るが硬くて効果が無くて長時間自転車に乗ると、お尻りが痛く成る。【解決手段】自転車のサドルを取り付けるパイプの先の上下する衝撃を垂直に左右へ引っ張ってパイプの上下運動の衝撃を吸収するスプリングを上下２本を一対で、支点と力点と作用点で構成して、力点を作用点にスプリングで引っ張って、力点の上下運動する衝撃を吸収させる。【選択図】図１
2009286384.tif 000002
【特許請求の範囲】
【請求項１】
自転車で路面上を走行する際に車体から人体に加えられる衝撃を緩和する衝撃を吸収する装置において、
衝撃の上下運動は左右に、又は、左右の衝撃は上下に衝撃の力点を中心に直線に引っ張る、支点と力点を連結する部品と力点を引っ張るバネとバネの強度を調節するネジの付いた部品で構成する装置。
【請求項２】
請求項１の装置の上面にサドルを、ちよくせつ、９のネジでしめ付ける、図１と図２、である。
【発明の詳細な説明】
【発明の詳細な説明】
【０００１】自転車のサドルの下で上下の衝撃を垂直に左右へスプリングで引っ張って衝撃を吸収する。
【産業上の利用分野】
【０００２】本発明は、自転車の衝撃吸収装置に関するものである。
【背景技術】
【０００３】従来の自転車には、サドルの後ろの下にバネが有るが硬くて効果が無い。
【発明が解決しようとする課題】
【０００４】上記のように従来の技術は大きい衝撃のバウンドでは飛び跳ねる欠点がある。
【実施例】
【０００５】小さい衝撃も大きい衝撃も吸収して、ふわふわと浮かんで居るような乗り心地。
【作用】
【０００６】トランポリンの作用
【発明の効果】
【０００７】自動車の燃料高騰で自動車通勤が無く成り、乗り心地の良い自転車通勤がふえて従来の自転車に取り付けの出来る部品を作る。
【図面の簡単な説明】
【０００８】
【図１】衝撃を垂直に左右へ引っ張って吸収する装置
【０００９】
【図２】衝撃を垂直に左右へ引っ張って吸収するスプリングを左右ともスプリングにした図、４本又は８本まで出来る。
【図３】衝撃を垂直に左右へ引っ張るスプリングを１本にして子供用のサドルに成る。
【符号の説明】
１、支点。２、力点。３、作用点
４、連結部品（梃子の支点と力点）
５、バネ（力点を作用点に引っ張る）
６、作用点を引っ張る部品
７、作用点を引っ張るネジを回す部品
８、自転車のフレームに取り付けるパイプ
９、サドルを取り付けるネジ
１０、支点を取り付ける外面のカバー
【図１】
2009286384.tif 000003
【図２】
2009286384.tif 000004
【図３】
2009286384.tif 000005
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
自転車で路面上を走行する際に車体から人体に加えられる衝撃を緩和する衝撃を吸収する装置において、
衝撃を自転車のサドルを取り付けるパイプの先端に吸収装置を取り付けた衝撃を吸収するパイプのパーツを作る装置において、図１である
パイプの先端を右左に引っ張るために支点と力点を連結する部品と力点を引っ張るバネでパイプの先端を左右に引っ張る装置をもう１組設けて上下２段にして、右左に引っ張った先端を図１０の外面のカバーに取り付けカバーが常に水平を保つようにする、バネの強度を調節するネジで１方の引点を引き広げる、
【請求項２】
請求項１の装置の上面にサドルを、ちよくせつ、９のネジでしめ付ける、図１と図２である、
【請求項３】
パイプの先端を左右に引っ張る装置は左右ともバネにして、上下２段にして強度が下がるので、２列にする合計８本のバネで衝撃を吸収する装置。図２である
【請求項４】
力点から支点から作用点に伝わった衝撃を一直線に引っ張る装置で、衝撃の力点を静止する原理の応用範囲について、
路面上を走行する際に車体から人体に加えられる衝撃を静止する乗り物の範囲、
１、サドル、２、車椅子、３、自転車の補助車輪、４、３輪車、５、子供用のリヤカー、６、ベビー用のサイドカー、７、乳母車、
【手続補正２】
【補正対象書類名】明細書
【補正対象項目名】０００８
【補正方法】変更
【補正の内容】
【０００８】
【図１】衝撃を垂直に左右へ引っ張って吸収する装置図
【図２】衝撃を垂直に左右へ引っ張るバネを８本取り付けた装置の図
【図３】衝撃を垂直に連結部品とバネで引っ張り下に連結部品を取り付け水平を保つようにした図
【図４】サドル用衝撃吸収装置の図
【図５】車椅子の衝撃吸収装置の図
【図６】自転車の補助車輪の図
【図７】子供用のリヤカーの図
【図８】子供２人用３輪車の図
【図９】ベビー用のサイドカーの図
【図１０】乳母車の図
【符号の説明】
１、支点
２、力点
３、衝撃を引っ張って吸収する、引点
４、連結部品（梃子の支点と力点）
５、バネ（力点を引っ張る）
６、力点を引っ張る部品
７、力点を引っ張るネジを回す部品
８、自転車のフレームに取り付けるパイプ
９、サドルを取り付けるネジ
１０、支点と力点を引っ張るネジとサドルを取り付ける外面のカバー
【手続補正３】
【補正対象書類名】図面
【補正対象項目名】図４
【補正方法】追加
【補正の内容】
【図４】
2009286384.tif 000006
【手続補正４】
【補正対象書類名】図面
【補正対象項目名】図５
【補正方法】追加
【補正の内容】
【図５】
2009286384.tif 000007
【手続補正５】
【補正対象書類名】図面
【補正対象項目名】図６
【補正方法】追加
【補正の内容】
【図６】
2009286384.tif 000008
【手続補正６】
【補正対象書類名】図面
【補正対象項目名】図７
【補正方法】追加
【補正の内容】
【図７】
2009286384.tif 000009
【手続補正７】
【補正対象書類名】図面
【補正対象項目名】図８
【補正方法】追加
【補正の内容】
【図８】
2009286384.tif 000010
【手続補正８】
【補正対象書類名】図面
【補正対象項目名】図９
【補正方法】追加
【補正の内容】
【図９】
2009286384.tif 000011
【手続補正９】
【補正対象書類名】図面
【補正対象項目名】図１０
【補正方法】追加
【補正の内容】
【図１０】
2009286384.tif 000012
【手続補正書】
【提出日】平成20年8月24日(2008.8.24)
【手続補正１】
【補正対象書類名】明細書
【補正対象項目名】０００２
【補正方法】変更
【補正の内容】
【０００２】本発明の衝撃を垂直に左右へ引っ張って衝撃を吸収する装置の利用範囲
１、自転車のクッシヨン
２、補助車輪のクッシヨン
３、三輪自転車のクッシヨン
４、サドルのクッシヨン
５、車椅子のクッシヨン
６、子供用自転車のリヤカーのクッシヨン
７、ベビー用自転車のサイドカーのクッシヨン
８、乳母車のクッシヨン
９、救急車の中の患者を搬送する台のクッシヨン
１０、患者を搬送するストレッチヤのクッシヨン
１１、患者用のベッドの足と車輪のクッシヨン
１２、救急車の、クッシヨン
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
自転車で路面上を走行する際に車体から人体に加えられる衝撃を緩和する衝撃を吸収する装置において、衝撃の上下運動を左右に、衝撃の力点を中心に直線に引っ張る構成は、支点と力点を連結する部品と力点を引っ張るバネとバネの強度を調節するネジの付いた部品で構成する装置。からなる衝撃を垂直に左右に引っ張って吸収する装置。
【手続補正２】
【補正対象書類名】図面
【補正対象項目名】図４
【補正方法】削除
【補正の内容】
【手続補正３】
【補正対象書類名】図面
【補正対象項目名】図５
【補正方法】削除
【補正の内容】
【手続補正４】
【補正対象書類名】図面
【補正対象項目名】図６
【補正方法】削除
【補正の内容】
【手続補正５】
【補正対象書類名】図面
【補正対象項目名】図７
【補正方法】削除
【補正の内容】
【手続補正６】
【補正対象書類名】図面
【補正対象項目名】図８
【補正方法】削除
【補正の内容】
【手続補正７】
【補正対象書類名】図面
【補正対象項目名】図９
【補正方法】削除
【補正の内容】
【手続補正８】
【補正対象書類名】図面
【補正対象項目名】図１０
【補正方法】削除
【補正の内容】
【手続補正９】
【補正対象書類名】明細書
【補正対象項目名】０００２
【補正方法】変更
【補正の内容】
【０００２】本発明は、衝撃吸収装置に関するものである。
【手続補正１０】
【補正対象書類名】明細書
【補正対象項目名】０００８
【補正方法】変更
【補正の内容】
【０００８】
【図１】−
【図３】、衝撃を垂直に左右に引っ張って吸収する装置